(57)【要約】【課題】外部接続ソケットを有する電気機器の内部に、外部接続ソケットの取り付け部やプラグの嵌挿部の隙間から水が浸入しないようにした防水構造を提供する。【解決手段】カバー（４４）に形成されるケーブル貫通穴（４４ｂ）に外部電源用ケーブル（Ｃ）を密封状態で挿通するとともに、カバー（４４）で、後部パネル（４２）に設けられるソケット貫通穴（４２ｄ）を密封するように覆い、後部パネル（４２）とカバー（４４）の間の収納空間に外部電源用ケーブル（Ｃ）及びプラグ（Ｐ）を収納させるようにした。【選択図】          図３
2004357433.tif 000002
【特許請求の範囲】
【請求項１】
外部接続ケーブルを着脱自在に接続する外部接続ソケットを備える電気機器の防水構造であって、
前記電気機器の本体部側に、前記外部接続ソケットが固設されており、
前記外部接続ソケットおよびその周辺部は、前記本体部側に着脱自在に取り付けられるカバーで覆われており、
前記本体部側と前記カバーとの間には、前記本体部側と前記カバーで包囲される収納空間が形成されており、
前記カバーには、前記外部接続ケーブルの先端に取り付けられるプラグを挿通可能な貫通穴が形成されており、
前記貫通穴には、前記プラグおよび前記外部接続ケーブルが前記貫通穴の外部側から挿通されており、
前記貫通穴の内部側に挿通された前記プラグおよび前記外部接続ケーブルは、前記収納空間に収納されており、
前記プラグは、前記外部接続ソケットに嵌挿されており、
前記貫通穴と前記外部接続ケーブルとの挿通部、および前記カバーと前記本体部側との接合部は、それぞれ密封されていることを特徴とする電気機器の防水構造。
【請求項２】
前記外部接続ケーブルは、前記電気機器の外部電源用ケーブルであり、前記収納空間は、電源用バッテリーの収納部であることを特徴とする請求項１に記載の電気機器の防水構造。
【請求項３】
前記貫通穴は、密封栓により密封可能であることを特徴とする請求項２に記載の電気機器の防水構造。
【発明の詳細な説明】
【０００１】
【発明の属する技術分野】
本発明は、外部接続ケーブルを接続する外部接続ソケットを備える電気機器の防水構造に関する。
【０００２】
【従来の技術】
電子計量はかり等の電気機器には、水で濡れたものが載せられたり、使用中に不意に水が掛かったりすることがある。そこで、ハウジングの内部から引き出される電気ケーブルの貫通部には、ケーブルとハウジングを密封する防水グロメットが嵌め込まれており、内部への水の浸入を防止するようにしている（例えば、特許文献１参照）。
【０００３】
【特許文献１】
実用新案登録第３０１６９１６号公報。
【０００４】
【発明が解決しようとする課題】
しかしながら、上記電気ケーブルが、先端にプラグを備えた外部接続ケーブルであり、そのプラグが、電気機器に設けられた外部接続ソケットに着脱自在に接続される場合には、外部接続ソケットの取り付け部や、外部接続ソケットとプラグの嵌挿部の隙間が、外部にむき出しにされており、そこから内部に水が浸入するおそれがある。
【０００５】
本発明は、斯かる実情に鑑み、外部接続ソケットを有する電気機器の内部に、外部接続ソケットの取り付け部やプラグの嵌挿部の隙間から水が浸入しないようにした防水構造を提供しようとするものである。
【０００６】
【課題を解決するための手段】
請求項１の発明は、外部接続ケーブルを着脱自在に接続する外部接続ソケットを備える電気機器の防水構造であって、
前記電気機器の本体部側に、前記外部接続ソケットが固設されており、
前記外部接続ソケットおよびその周辺部は、前記本体部側に着脱自在に取り付けられるカバーで覆われており、
前記本体部側と前記カバーとの間には、前記本体部側と前記カバーで包囲される収納空間が形成されており、
前記カバーには、前記外部接続ケーブルの先端に取り付けられるプラグを挿通可能な貫通穴が形成されており、
前記貫通穴には、前記プラグおよび前記外部接続ケーブルが前記貫通穴の外部側から挿通されており、
前記貫通穴の内部側に挿通された前記プラグおよび前記外部接続ケーブルは、前記収納空間に収納されており、
前記プラグは、前記外部接続ソケットに嵌挿されており、
前記貫通穴と前記外部接続ケーブルとの挿通部、および前記カバーと前記本体部側との接合部は、それぞれ密封されていることを特徴とする電気機器の防水構造を提供する。
【０００７】
請求項１の発明によれば、以下の作用を奏する。カバーに形成される貫通穴に外部接続ケーブルを密封状態で挿通し、そのカバーで本体部側に設けられる外部接続ソケットおよびその周辺部を密封するように覆ったので、外部接続ソケットの取り付け部やプラグの嵌挿部の隙間から水が浸入することが確実に防止される。
【０００８】
請求項２の発明は、前記外部接続ケーブルは、前記電気機器の外部電源用ケーブルであり、前記収納空間は、電源用バッテリーの収納部であることを特徴とする請求項１に記載の電気機器の防水構造を提供する。
【０００９】
請求項２の発明によれば、請求項１の発明の作用に加えて、以下の作用を奏する。外部接続ソケットを覆う収納空間を、電源用バッテリーの収納部と兼用させるようにしたので、これらを別個に設ける場合と比べて、省スペース化およびコストダウンを図ることができるものである。また、ソケットに接続される外部接続ケーブルは、外部電源用ケーブルであるため、収納部に電源用バッテリーが収納できなくなっても差し支えがない。
【００１０】
請求項３の発明は、前記貫通穴は、密封栓により密封可能であることを特徴とする請求項２に記載の電気機器の防水構造を提供する。
【００１１】
請求項３の発明によれば、請求項２の発明の作用に加えて、以下の作用を奏する。前記貫通穴を、密封栓により密封可能としたので、外部電源使用時と電源用バッテリー使用時で、カバーを共通使用することができ、更にコストダウンを図ることができるものである。
【発明の実施の形態】
本発明の実施の形態について、図面を参照しつつ説明する。なお、説明の便宜上、前部、後部等の文言を使用することがあるが、これにより本発明の権利範囲が限定されるものではない。
【００１２】
図１乃至図５は、本発明の実施の形態を示す図である。図１は、本発明に係る電気機器の防水構造を適用した電子計量はかりを示す図である。図２は、電子計量はかりの表示部の裏面を示す図であり、図３は、図２のＡ−Ａ断面図である。図４は、表示部の裏面に設けられるカバーが取り外された状態を示す図である。図５は、カバーに外部電源用ケーブルを取り付ける際の組立図である。
【００１３】
図１において、１は、外部電源用ケーブルで接続される外部電源、あるいは内部に収納される電源用バッテリーのいずれかにより作動する電子計量はかりであり、ロードセルが内蔵されて計量対象物を載置させる計量部２と、計量部２から上方に延びる柱状の支持部３と、支持部３に支持されて計量部２で計量された重量を表示する表示部４を備えてなる。
【００１４】
電子計量はかり１は、水で濡れたものが計量部２に載せられたり、あるいは、使用中に、表示部４に不意に水が掛かったりすることによって、内部へ水が浸入することがないように、各部に防水処理が施されている。まず、計量部２に内蔵されるロードセルは、アクリル樹脂によるコーティングで防水処理されている。また、支持部３には、計量部２のロードセルから電気信号を表示部４に伝達するための信号ケーブルが配索されているが、計量部２及び表示部４との継目部分にはシールによる防水処理が施されている。
【００１５】
表示部４は、図１乃至図３に示されるように、前部パネル４１と、前部パネル４１の後面側に接合されて前部パネル４１とともに筐体（本体部側）を形成する後部パネル４２と、前部パネル４１と後部パネル４２で形成される筐体に内蔵された状態で固定される電子基板４３と、後部パネル４２の後面側に取り付けられるカバー４４で構成される。
【００１６】
前部パネル４１は、後面側が開口された箱形状に形成されており、電子基板４３の前面側を覆うように設けられている。前部パネル４１の前面側には、透明の表示窓４１ａと、複数個の可撓性の操作ボタン４１ｂとが備えられる。表示窓４１ａは、電子基板４３に固定される液晶パネル４３１に対応する位置に形成されており、液晶パネル４３１に表示される重量を、表示窓４１ａ越しに目視することができるようになっている。
【００１７】
操作ボタン４１ｂは、電子基板４３に固定される複数個の操作スイッチ４３２に対応する位置に形成されており、操作ボタン４１ｂを押圧することで、その裏側に配置される操作スイッチ４３２を押圧操作することができるようになっている。前部パネル４１の開口縁部４１ｃには、全周に亘って溝４１ｄが形成されており、溝４１ｄには、環状のシールゴム４５が嵌合されている。
【００１８】
後部パネル４２は、前面側が開口された箱形状に形成されており、後面側の下部が支持部３に取り付け固定される。後部パネル４２は、電子基板４３を後面側から覆うように設けられ、その開口縁部４２ｃと前部パネル４１の開口縁部４１ｃとが接合されることにより、表示部４の筐体を形成し、その内部に電子基板４３を収容する。なお、前部パネル４１と後部パネル４２の接合面は、シールゴム４５で密封されているので、そこから内部に水が浸入することはない。
【００１９】
後部パネル４２の後面側には、図３に示されるように、後方に突出する凸部４２ａが形成されている。凸部４２ａには、外部電源用ケーブルＣの収納空間となる凹部４２ｂと、凹部４２ｂから筐体内部に貫通するソケット貫通穴４２ｄとが形成される。ソケット貫通穴４２ｄは、電子基板４３に固定される外部電源用ソケットＳに対応する位置に形成されている。外部電源用ケーブルＣの先端に取り付けられるプラグＰは、ソケット貫通穴４２ｄを介して、外部電源用ソケットＳに着脱自在に嵌挿できるようになっている。なお、凸部４２ａの周囲には、図４に示されるように、全周に亘る溝４２ｅが形成されており、溝４２ｅには、環状のシールゴム４６が嵌合されている。
【００２０】
後部パネル４２の後面側には、前面側が開口された箱形状のカバー４４が、ビス４７（図２）で着脱自在に取り付けられており、凹部４２ｂとその周囲の凸部４２ａを覆うようになっている。これにより、後部パネル４２とカバー４４で包囲される収納空間が形成されるようになっている。また、カバー４４の開口縁部４４ａは、シールゴム４６に当接する。したがって、カバー４４と後部パネル４２の接合面は密封されており、内部に水が浸入することはない。
【００２１】
カバー４４には、図５に示されるように、プラグＰを挿通可能な大きさのケーブル貫通穴４４ｂが形成されている。ケーブル貫通穴４４ｂには、図３に示されるように、その外部側から、プラグＰ及び外部電源用ケーブルＣが挿通されており、プラグＰ及び外部電源用ケーブルＣは、凹部４２ｂを含む収納空間Ｘに収納される（図３）。ところで、外部電源用ケーブルＣは、プラグＰが挿通可能な大きさに形成されたケーブル貫通穴４４ｂとの挿通部に隙間を有する。しかし、そのケーブル回りに密着するロック部材４８とナット４９１とで、パッキン４９２，４９３を介して、ケーブル貫通穴４４ｂの外周縁部を挟みつけるようにして隙間を密封するので、ケーブル貫通穴４４ｂから内部に水が浸入することはない。なお、ケーブル貫通穴４４ｂの外周縁部には、パッキン４９２，４９３の当り面として、所定幅のリング状の平面部４４ｃ，４４ｄが形成されている。
【００２２】
ロック部材４８は、プラグＰを挿通可能な軸心穴を備えた押えボルト４８１、爪リング４８２、パッキン４８３、ナット４８４からなる。これらに外部電源用ケーブルＣを挿通させた状態で、押えボルト４８１とナット４８４を締め付けることにより、爪リング４８２，パッキン４８３が撓み変形して、外部電源用ケーブルＣに密着して、密封状態を形成するものである。ロック部材４８は、貫通穴に嵌め込むだけの通常のグロメットと異なり、ナット４９１と協働してパッキン４９２，４９３で、ケーブル貫通穴４４ｂの外周縁部を内外から締め付けるので、高い防水性能が得られるものである。
【００２３】
凹部４２ｂは、外部電源に代えて使用することができる電源用バッテリーＢの収納部にもなっている。外部電源用ケーブルＣを取り外すことにより、図３及び図４に、二点鎖線で示されるように、電源用バッテリーＢとなる単一乾電池２本を収納することができる。電源用バッテリーＢを使用することにより、電子計量はかり１は、電源コードが必要なくなり場所を選ばずに何処でも使用することができるようになる。
【００２４】
なお、ケーブル貫通穴４４ｂは内周面が滑らかな丸穴とされているので、電源用バッテリーを使用する際には、ゴム栓等の密封栓を嵌合させることにより、容易に密封することができるようになっている。また、ケーブル貫通穴４４ｂの外周縁部には、リング状の平面部４４ｃ，４４ｄが形成されているので、ここに円形ワッペンを貼付してケーブル貫通穴４４ｂを密封することもできる。
【００２５】
〔本実施形態の特徴点〕
本実施形態の電子計量はかり１は、上記のように構成される結果、下記のような特徴点を有している。
【００２６】
第１に、カバー４４に形成されるケーブル貫通穴４４ｂに外部電源用ケーブルＣを密封状態で挿通するとともに、カバー４４で、後部パネル４２に設けられるソケット貫通穴４２ｄを密封するように覆うという特徴点を有している。後部パネル４２とカバー４４の間に形成される収納空間（主に凹部４２ｂ）に外部電源用ケーブルＣ及びプラグＰを収納し、その収納空間内で、外部電源用ソケットＳに外部電源用ケーブルを接続させるようにしたので、外部電源用ソケットＳの取り付け部やプラグＰの嵌挿部の隙間から内部に水が浸入することが確実に防止される。
【００２７】
第２に、外部電源用ケーブルＣを収納する収納空間をなす凹部４２ｂを、電源用バッテリーの収納部と兼用させるようにしたので、これらを別個に設ける場合と比べて、省スペース化を図ることができ、電子計量はかり１をコンパクトに構成することができる。また、部品点数を減らすことができ、コストダウンを図ることも可能となる。なお、外部電源用ケーブルＣが接続されたときには、電源用バッテリーが収納できないが、電源は確保されているので、特に差し支えはないものである。
【００２８】
第３に、ケーブル貫通穴４４ｂは、密封栓により容易に密封可能な形状に形成されているため、電源用バッテリーを使用する際にも密封栓を使用することにより、内部への水入りを防止することができるものである。したがって、外部電源使用時と電源用バッテリー使用時とで、カバー４４を共通使用することができ、コストダウンを図ることができるものである。
【００２９】
第４に、ケーブル貫通穴４４ｂと挿通される外部電源用ケーブルＣとの隙間の密封作業は、カバー４４を取り外して、ケーブル貫通穴４４ｂの内外両側から、平面部４４ｃ，４４ｄに対するパッキン４９２，４９３の当り具合（密封の具合）を確認しながら行なうことができるので、密封性を確実に確保することができるものである。
【００３０】
〔上記実施形態の変形例〕
上記実施形態では、電子計量はかり１に本願発明を適用したが、適用対象は電子計量はかりに限らず、水物を処理したり、水洗いされたりすることがあって、防水性能が要求される多種多様の電気機器が適用対象となる。
【００３１】
上記実施形態では、電子計量はかり１に対して外部から接続されるケーブルは、外部電源用ケーブルＣのみであったが、他の外部接続ケーブルを接続させて、外部電源用ケーブルＣと同様の防水構造を施すようにしても良い。例えば、電子計量はかり１で計量された重量データ等を、プリンターや記憶装置等に出力する外部出力ケーブル等である。もちろん、外部接続ケーブルは１本に限らず、複数本設けるようにしても良い。
【００３２】
上記実施形態では、カバー４４のケーブル貫通穴４４ｂと、外部電源用ケーブルＣとの隙間を埋める手段として、ロック部材４８とナット４９１でパッキン４９２，４９３を挟み込む構造が採用されたが、ケーブル回りにグロメットを取り付けておき、グロメットをケーブル貫通穴４４ｂに嵌合させるようにしても良い。
【００３３】
その他、本発明の電気機器の防水構造は、上記した実施の形態に限定されるものではなく、本発明の要旨を逸脱しない範囲内において種々変更を加え得ることは勿論である。
【００３４】
【発明の効果】
以上、説明したように本発明の請求項１〜３に記載される電気機器の防水構造によれば、カバーに形成される貫通穴に外部接続ケーブルを密封状態で挿通し、そのカバーで本体部側に設けられる外部接続ソケットおよびその周辺部を密封するように覆ったので、外部接続ソケットの取り付け部やプラグの嵌挿部の隙間から水が浸入することが確実に防止されるという優れた効果を奏し得る。また、外部接続ソケットを覆う収納空間を、電源用バッテリーの収納部と兼用させるようにしたので、これらを別個に設ける場合と比べて、省スペース化およびコストダウンを図ることができる。さらに、貫通穴を、密封栓により密封可能としたので、外部電源使用時と電源用バッテリー使用時で、カバーを共通使用することができ、更にコストダウンを図ることができる
【図面の簡単な説明】
【図１】本発明に係る電気機器の防水構造を適用した電子計量はかりを示す図。
【図２】電子計量はかりの表示部の裏面を示す図。
【図３】図２のＡ−Ａ断面図
【図４】表示部の裏面に設けられるカバーが取り外された状態を示す図。
【図５】カバーに外部電源用ケーブルを取り付ける際の組立図。
【符号の説明】
１    電子計量はかり（電気機器）
４    表示部
４１    前部パネル
４２    後部パネル
４２ｂ    凹部（収納空間）
４３    電子基板
４４    カバー
４４ｂ    ケーブル貫通穴（貫通穴）
Ｂ    電源用バッテリー
Ｃ    外部電源用ケーブル（外部接続ケーブル）
Ｐ    プラグ
Ｓ    外部電源用ソケット（外部接続ソケット）
【図１】
2004357433.tif 000003
【図２】
2004357433.tif 000004
【図３】
2004357433.tif 000005
【図４】
2004357433.tif 000006
【図５】
2004357433.tif 000007